(57)【要約】【課題】  観察者の眼Ｍの網膜に光束Ｋを容易に位置合せさせることがるようにした網膜走査画像表示装置を提供する。【解決手段】  光束Ｋを出力する光束出力部２と、該光束Ｋを網膜に走査する走査手段３とを備えることにより、観察者の網膜に画像を表示する網膜走査画像表示装置であって、  前記観察者の瞳孔に入射する光束Ｋの幅を、前記走査手段３に入射する光束の幅よりも拡大させる光束断面拡大手段４を備えたものである。【選択図】    図１
2005292191.tif 000002
【特許請求の範囲】
【請求項１】
光束を出力する光束出力部と、該光束を網膜に走査する走査手段とを備えることにより、観察者の網膜に画像を表示する網膜走査画像表示装置であって、
前記観察者の瞳孔に入射する光束の断面積を、前記走査手段に入射する光束の断面積よりも拡大させる光束断面拡大手段を備えたことを特徴とする網膜走査画像表示装置。
【請求項２】
前記光束断面拡大手段は、前記瞳孔に入射する光束の断面形状を少なくとも水平方向に拡大することを特徴とする請求項１に記載の網膜走査画像表示装置。
【請求項３】
前記走査手段を、入射した光束を第一走査方向へ走査する第一走査手段と、該第一走査手段よりも走査速度が低速であって且つ該第一走査方向とは交差する第二走査方向へ走査する第二走査手段とによって構成したことを特徴とする請求項１又は請求項２に記載の網膜走査画像表示装置。
【請求項４】
前記第一走査手段の第一走査方向は鉛直方向であって、前記第二走査手段の第二走査方向は水平方向であることを特徴とする請求項３に記載の網膜走査画像表示装置。
【請求項５】
前記光束断面拡大手段は、瞳孔に入射する光束の進行方向に直交する面に対する断面形状を、前記第一走査手段の第一走査方向の幅よりも前記第二走査手段の第二走査方向の幅が大きい形状としたことを特徴とする請求項３又は請求項４に記載の網膜走査画像表示装置。
【請求項６】
前記第一走査手段は、前記第二走査手段の前段に設け、前記光束断面拡大手段は、前記第一走査手段と前記第二走査手段との間に設けられたことを特徴とする請求項３乃至請求項５の何れか１項に記載の網膜走査画像表示装置。
【請求項７】
前記光束断面拡大手段は、前記第二走査手段と瞳孔との間に設けられたことを特徴とする請求項３乃至請求項５の何れか１項に記載の網膜走査画像表示装置。
【請求項８】
前記光束断面拡大手段は、前記第二走査手段の第二走査方向へ向けて正の屈折力を有する第一のレンズと、該第一のレンズの後段に設けられ且つ前記第二走査手段の第二走査方向へ向けて負の屈折力を有する第二のレンズとの対によって構成されたことを特徴とする請求項３乃至請求項７の何れか１項に記載の網膜走査画像表示装置。
【請求項９】
前記第一のレンズ及び第二のレンズは、シリンドリカルレンズによって構成されたことを特徴とする請求項８に記載の網膜走査画像表示装置。
【請求項１０】
光束を出力する光束出力部と、該光束を網膜に走査する走査手段とを備えることにより、観察者の網膜に画像を表示する網膜走査画像表示装置であって、
前記瞳孔に入射する光束の進行方向に直交する面に対する断面形状を、水平方向の幅が鉛直方向の幅より大きくしたことを特徴とする網膜走査画像表示装置。
【発明の詳細な説明】
【技術分野】
【０００１】
本発明は、観察者の眼Ｍの網膜に画像を直接に表示できるようにした網膜走査画像表示装置に関するものである。
【背景技術】
【０００２】
特許文献１等に示すように、従来技術による網膜走査画像表示装置が提案されている。図５に示すように、該網膜走査画像表示装置１００は、光束Ｋを出力する光束出力部１０１と、該光束Ｋを観察者の眼Ｍの瞳孔Ｍ１を通過して網膜Ｍ２に走査する走査手段１０２とを備え、光束Ｋを光束出力部１０１から光ファイバ１０３等によって走査手段１０２に伝送することにより、観察者の眼Ｍの網膜Ｍ２に画像を表示するものである。
【特許文献１】特開２００３−３１５７２８号公報
【発明の開示】
【発明が解決しようとする課題】
【０００３】
ところで、前述のように、網膜走査画像表示装置１００は光束Ｋを観察者の眼Ｍの網膜Ｍ２に走査するものであって、光束Ｋを観察者の眼Ｍの瞳孔Ｍ１に高精度に位置合わせできない場合、画像を眼Ｍの網膜Ｍ２に正確に表示できないものである。しかし、図５に示すように、該光束Ｋの断面積は円形であって非常に狭いものである。このため、観察者の眼Ｍの網膜Ｍ２に光束Ｋを位置合せする作業が非常に困難で、煩雑であるという問題点があった。
【０００４】
本発明は、前記従来技術に鑑みてなされたもので、その目的は、観察者の眼Ｍの網膜に光束Ｋを容易に位置合せさせることができるようにした網膜走査画像表示装置を提供することにある。
【課題を解決するための手段】
【０００５】
請求項１に記載の発明は、光束を出力する光束出力部と、該光束を網膜に走査する走査手段とを備えることにより、観察者の網膜に画像を表示する網膜走査画像表示装置であって、
前記観察者の瞳孔に入射する光束の断面積を、前記走査手段に入射する光束の断面積よりも拡大させる光束断面拡大手段を備えたことを特徴とするものである。
【０００６】
請求項２に記載の発明は、請求項１に記載の網膜走査画像表示装置において、前記光束断面拡大手段は、前記瞳孔に入射する光束の断面形状を少なくとも水平方向に拡大することを特徴とするものである。
【０００７】
請求項３に記載の発明は、請求項１又は請求項２に記載の網膜走査画像表示装置において、前記走査手段を、入射した光束を第一走査方向へ走査する第一走査手段と、該第一走査手段よりも走査速度が低速であって且つ該第一方向とは交差する第二走査方向へ走査する第二走査手段とによって構成したことを特徴とするものである。
【０００８】
請求項４に記載の発明は、請求項３に記載の網膜走査画像表示装置において、前記第一走査手段の第一走査方向は鉛直方向であって、前記第二走査手段の第二走査方向は水平方向であることを特徴とするものである。
【０００９】
請求項５に記載の発明は、請求項３又は請求項４に記載の網膜走査画像表示装置において、前記光束断面拡大手段は、瞳孔に入射する光束の進行方向に直交する面に対する断面形状を、前記第一走査手段の第一走査方向の幅よりも前記第二走査手段の第二走査方向の幅が大きい形状としたことを特徴とするものである。
【００１０】
請求項６に記載の発明は、請求項３乃至請求項５の何れか１項に記載の網膜走査画像表示装置において、前記第一走査手段は、前記第二走査手段の前段に設け、前記光束断面拡大手段は、前記第一走査手段と前記第二走査手段との間に設けられたことを特徴とするものである。
【００１１】
請求項７に記載の発明は、請求項３乃至請求項５の何れか１項に記載の網膜走査画像表示装置いおいて、前記光束断面拡大手段は、前記第二走査手段と瞳孔との間に設けられたことを特徴とするものである。
【００１２】
請求項８に記載の発明は、請求項３乃至請求項７の何れか１項に記載の網膜走査画像表示装置において、前記光束断面拡大手段は、前記第二走査手段の第二走査方向へ向けて正の屈折力を有する第一のレンズと、該第一のレンズの後段に設けられ且つ前記第二走査手段の第二走査方向へ向けて負の屈折力を有する第二のレンズとの対によって構成されたことを特徴とするものである。
【００１３】
請求項９に記載の発明は、請求項８に記載の網膜走査画像表示装置において、前記第一のレンズ及び第二のレンズは、シリンドリカルレンズによって構成されたことを特徴とするものである。
【００１４】
請求項１０に記載の発明は、光束を出力する光束出力部と、該光束を網膜に走査する走査手段とを備えることにより、観察者の網膜に画像を表示する網膜走査画像表示装置であって、前記瞳孔に入射する光束の進行方向に直交する面に対する断面形状を、水平方向の幅が鉛直方向の幅より大きくしたことを特徴とするものである。
【発明の効果】
【００１５】
請求項１に記載の発明によれば、観察者の眼Ｍの瞳孔に入射する光束の断面積を、走査手段に入射する光束の断面積よりも拡大させることができるため、該光束を観察者の眼Ｍの瞳孔に容易に位置合せすることができる。
【００１６】
請求項２に記載の発明によれば、少なくとも水平方向において、光束を観察者の眼Ｍの瞳孔に容易に位置合せすることができる。
【００１７】
請求項３に記載の発明によれば、入射した光束を第一方向へ走査する第一走査手段と、該第一走査手段よりも走査速度が低速であって且つ該第一方向とは交差する第二方向へ走査する第二走査手段とを備えた網膜走査画像表示装置において、光束を観察者の眼Ｍの瞳孔に容易に位置合せすることができる。
【００１８】
請求項４に記載の発明によれば、入射した光束を鉛直方向へ走査する第一走査手段と、該第一走査手段よりも走査速度が低速であって且つ水平方向へ走査する第二走査手段とを備えた網膜走査画像表示装置において、光束を観察者の眼Ｍの瞳孔に容易に位置合せすることができる。
【００１９】
請求項５に記載の発明によれば、観察者の眼の瞳孔に入射する光束の進行方向に直交する面に対する断面形状を、第一走査方向の幅よりも第二走査方向の幅が大きい形状にすることにより、第二走査方向において、光束を観察者の眼の瞳孔に容易に位置合せすることができる。
【００２０】
請求項６に記載の発明によれば、第一走査手段と第二走査手段との間において、光束の断面積を拡大させることができることにより、観察者の眼の瞳孔に光束を容易に位置合せすることができる。
【００２１】
請求項７に記載の発明によれば、第二走査手段と瞳孔との間において、光束の断面積を拡大させることができることにより、観察者の眼の瞳孔に光束を容易に位置合せすることができる。
【００２２】
請求項８に記載の発明によれば、第二走査方向へ向けての正の屈折力を有する第一のレンズと、第二走査方向へ向けて負の屈折力を有する第二のレンズとの組合せによって、観察者の眼の瞳孔に入射する光束の断面積を拡大させることができる。
【００２３】
請求項９に記載の発明によれば、観察者の眼の瞳孔に入射する光束の断面積をシリンドリカルレンズによって拡大させることができる。
【００２４】
請求項１０に記載の発明によれば、観察者の眼の瞳孔に入射する光束の進行方向に直交する面に対する断面形状を、水平方向の幅が鉛直方向の幅より大きくすることにより、観察者の眼の瞳孔に入射する光束を、水平方向において該瞳孔に容易に位置合わせすることができる。
【発明を実施するための最良の形態】
【００２５】
図１は、網膜走査画像表示装置１の第1実施形態を示すブロック図である。図１に示すように、網膜走査画像表示装置１は、光束出力部２と、走査手段３を備え、光束出力部２から出力された光束Ｋを走査手段３が観察者の眼Ｍの瞳孔Ｍ１を通過して網膜Ｍ２に走査することにより、観察者の眼Ｍの網膜Ｍ２に画像を表示する網膜走査画像表示装置である。該網膜走査画像表示装置１は、光束断面拡大手段４を更に備えた点に特徴を有するものである。光束断面拡大手段４は、観察者の眼Ｍの網膜Ｍ２に入射する光束Ｋの水平方向の幅を、前記走査手段３に入射する光束Ｋの水平方向の幅よりも拡大させる光学機器である。尚、水平方向とは眼の左右方向に相当し、鉛直方向とは眼の上下方向に相当する。
【００２６】
次に、前記光束出力部２の具体的構成について説明する。光束出力部２は、外部機器からの映像信号Ｇが入力される映像信号供給回路５と、赤色光源６、緑色光源７、青色光源８と、赤色光源ドライバ９，緑色光源ドライバ１０，青色光源ドライバ１１と、コリメートレンズ１２，１３，１４と、波長選択性ミラー１５，１６，１７と、フォーカスレンズ１８とを備えている。そして、映像信号供給回路５は、外部機器から供給される画像信号Ｇに基づいて、赤色光源６，緑色光源７、青色光源８をそれぞれ駆動する赤色光源ドライバ９、緑色光源ドライバ１０、青色光源ドライバ１１に対して強度変調信号を出力するものである。前記赤色光源６、緑色光源７、青色光源８からの出射光は、コリメートレンズ１２，１３，１４によって略平行光線に成形された後に、前記波長選択性ミラー１５，１６，１７によって合波され、フォーカスレンズ１８によって光ファイバ１９に入射されて、前記走査手段３に伝送される構成になっている。
【００２７】
次ぎに、図１および図２に基づき前述の走査手段３について説明する。走査手段３は、第一走査手段２０と、第二走査手段２１と、リレー光学系としての凸レンズ２２、２３とを備えている。該第一走査手段２０は第一走査方向へ向けて高速の走査動作を行う光学機器である。又、第二走査手段２１は、該第一走査方向と直交する第二走査方向へ向けて、前記第一走査手段２６に比較して低速の走査動作を行う光学機器である。前記第一走査方向としては、例えば、鉛直方向が該当し、又、前記第二走査方向としては水平方向が該当する。前記第一走査手段２０は光束出力部２の第一同期信号出力部２４から第一同期信号Ｖを入力し、該第一同期信号Ｖに同期して第一走査方向へ走査動作を行うものである。又、前記第二走査手段２１は光束出力部２の第二同期信号出力部２５から第二同期信号Ｈを入力し、該第二同期信号Ｈに同期して第二走査方向へ走査動作を行うものである。
【００２８】
前記第一走査手段２０は回転軸によって回転可能に設けられている。該第一走査手段２０は、回転位置に応じた方向へ光束Ｋを反射するものである。前記凸レンズ２２、２３は第一走査手段２０によって走査された光束Ｋを第二走査手段２１に集中させるものである。
【００２９】
又、前記第二走査手段２１は回転軸によって回転可能に設けられている。該第二走査手段２１は、回転位置に応じた方向へ光束Ｋを反射するものである。該第二走査手段２１は回転軸を回転中心に揺動可能に設けられている。この第二走査手段２１は、凸レンズ２２,２３を通過した光束Ｋを、該第二走査手段２１の回転位置に応じた方向へ反射するものである。
【００３０】
図２は光束Ｋが走査手段３、及び光束断面拡大手段４を通過して観察者の眼Ｍに入射する過程における光束Ｋの状態を示し、図２（イ）は、光束Ｋが観察者の眼Ｍに入射する状態を横方向から観た状態を示す図である。又、図２（ロ）は、光束Ｋが観察者の眼Ｍに入射する状態を上方向から観た状態を示す図である。この図において破線は走査された光線Ｋの光軸を表し、直線は走査中心を通る光線Ｋのビーム幅、即ち、外径を表している。
【００３１】
図２（イ）に示すように、走査手段３に入射する光束Ｋの鉛直方向断面における鉛直方向の幅がaであり、観察者の眼Ｍに入射する光束Ｋの鉛直方向断面における鉛直方向の幅がａである。これに対し、図２（ロ）に示すように、走査手段３に入射する光束Ｋの水平方向断面における水平方向の幅がaであり、観察者の眼Ｍに入射する光束Ｋの水平方向断面における水平方向の幅が、ａより大きいbであって、観察者の眼Ｍに入射する光束Ｋの水平方向断面における水平方向の幅ｂが走査手段３に入射する光束Ｋの水平方向断面における水平方向の幅aよりも拡大している状態を示す。
【００３２】
観察者の眼Ｍに入射する光束Ｋの進行方向と直交する面に対する断面の形状をこのように、鉛直方向の幅よりも水平方向の幅を大きくすることにより、図１に示すように、該光束Ｋの進行方向と直交する面に対する断面形状を略楕円形にすることができる。つまり、光束Ｋの進行方向と直交する面に対する断面形状を、眼の上下方向に対する幅よりも眼の左右方向に対する幅の方を大きくする。
【００３３】
次に、図１及び図２に基づき、前記光束断面拡大手段４の具体的構成について説明する。前記光束断面拡大手段４は、走査手段３と観察者の眼Ｍとの間に設けられたリレー光学系２６を構成する二つの凸レンズ２７,２８と、該凸レンズ２７の前段に配置された第一のレンズ２９と、該凸レンズ２８の前段に配置された第二のレンズ３０とを備えている。
【００３４】
第一のレンズ２９は、図２（イ）に示すように鉛直方向においては、光束Ｋを屈折する作用を有さないが、図２（ロ）に示すように水平方向においては、光束Ｋを負の方向に屈折する作用を有するレンズである。又、第二のレンズ３０は、図２（イ）に示すように鉛直方向においては、光束Ｋを屈折する作用を有さないが、図２（ロ）に示すように水平方向においては、光束Ｋを正の方向に屈折する作用を有するレンズである。ここで、負の屈折力とは、光束Ｋの幅を集光させる屈折力を意味する。又、正の屈折力とは、光束Ｋの幅を拡散させる屈折力を意味する。
【００３５】
該第一のレンズ２９、第二のレンズ３０をシリンドリカルレンズによって構成することができる。第一のレンズ２９、第二のレンズ３０をシリンドリカルレンズによって構成した場合、第一のレンズ２９の側面は、図１に示すように、凸状の円柱面２９ａと平面２９ｂとで囲まれた形状である。又、第二のレンズ３０の側面は、同図１に示すように、平面３０ａと凹状の円柱面３０ｂで囲まれた形状である。第一のレンズ２９及び第二のレンズ３０の上下面は平面である。そして、第一のレンズ２９は、円柱面２９ａの軸心を鉛直方向に向け、且つ、円柱面２９ａから光束Ｋが入射し、平面２９ｂから光束Ｋが出射する形態で凸レンズ２７の前段に配置されている。又、第二のレンズ３０は、円柱面３０ｂの軸心を鉛直方向に向け、且つ、平面３０ａから光束Ｋが入射し、円柱面３０ｂから光束Ｋが出射する形態で凸レンズ２８の前段に配置されている。第一,第二のレンズ２９,３０は、このように配置されることにより、図２（ロ）に示すように、その円柱面２９ａ,３０ｂが水平方向においては湾曲しているため、光束Ｋを水平方向においては屈折させる。しかし、、図２（イ）に示すように、該円柱面２９ａ,３０ｂは鉛直方向おいては湾曲していないため、光束Ｋを鉛直方向においては屈折させないものである。
【００３６】
次に、第一のレンズ２９と凸レンズ２７とを光学上の一つのレンズとして観た場合の焦点位置、並びに第二のレンズ３０と凸レンズ２８とを光学上の一つのレンズとして観た場合の焦点位置との関係について説明する。
【００３７】
図２（イ）に示す状態において、第一のレンズ２９と凸レンズ２７とを光学上の一つのレンズとして観た場合の焦点位置ｆ１と、第二のレンズ３０と凸レンズ２８とを光学上の一つのレンズとして観た場合の焦点位置ｆ１とが互いに一致するように、凸レンズ２７,２８の焦点位置を調整する。ここで、第一、第二のレンズ２９，３０は鉛直方向（図２（イ）に示す状態）においては、光束Ｋを屈折させる作用を有さないため、前記焦点位置ｆ１は実質的には凸レンズ２７,２８の焦点位置ｆ１である。従って、平行な光束Ｋが第一のレンズ２９と凸レンズ２７とを通過して焦点位置ｆ１に一旦収束して、再び拡散しつつ進行した後、第二のレンズ３０と凸レンズ２８とを通過することにより平行な光束Ｋになって観察者の眼Ｍに入射することができるものである。
【００３８】
又、図２（ロ）に示す状態において、第一のレンズ２９と凸レンズ２７とを光学上の一つのレンズとして観た場合の焦点位置ｆ２と、第二のレンズ３０と凸レンズ２８とを光学上の一つのレンズとして観た場合の焦点位置ｆ２とが互いに一致するように、第一, 第二のレンズ２９、３０の円柱面２９ａ,３０ｂの曲率を確定する。しかも、図２（ロ）に示す焦点位置ｆ２が図２（イ）に示す焦点位置ｆ１に比較して、凸レンズ２７側に、より接近した位置になるように第一, 第二のレンズ２９、３０の円柱面２９ａ,３０ｂの曲率を確定する。
【００３９】
図２（イ）に示す焦点位置ｆ１に比較して、図２（ロ）に示す焦点位置ｆ２が凸レンズ２７側により接近させた位置になるように設定することにより、以下の理由によって、光束Ｋの断面積は図２（ロ）に示す水平方向において拡大するものである。即ち、平行な光束Ｋが第一のレンズ２９と凸レンズ２７とを通過して焦点位置ｆ２に一旦収束した後、再び拡散しつつ進行するものであるが、焦点位置ｆ２と第二のレンズ３０の間の距離は、図２（イ）に示す状態よりも広がっているため、図２（ロ）に示すように、光束Ｋはその幅を拡大しつつ進行し、光束Ｋの幅が図２（イ）に示す状態よりも大きく拡大した状態で第二のレンズ３０に入射し、第二のレンズ３０及び凸レンズ２８を通過することにより平行な光束Ｋになって観察者の眼Ｍに入射する。このようにして、光束Ｋは、図２（イ）に示す鉛直方向よりも図２（ロ）に示す水平方向においてその幅が拡大した状態で、観察者の眼Ｍに入射することができるものである。
【００４０】
次に、このように構成された網膜走査画像表示装置１において、観察者の眼Ｍの瞳孔に光束Ｋを位置合せする場合について図１及び図２に基づき説明する。光束出力部２から出力された平行な光束Ｋが、図２中、実線で示すように、第一走査手段２０、凸レンズ２２,２３、第二走査手段２１、及び光束断面拡大手段４の光軸Ｌに一致して進行して、観察者の眼Ｍに入射する場合について説明する。先ず、図２（イ）に基づき、鉛直方向における光束Ｋの幅について説明する。
【００４１】
鉛直方向及び水兵方向の幅がaである平行な光束Ｋが図２（イ）中、実線で示すように、第一走査手段２０において鉛直方向へ走査された後、凸レンズ２２,２３を経て、第二走査手段２１に入射して水平方向へ走査される。該第二走査手段２１から出射した光束Ｋは、第一のレンズ２９を通過した後、凸レンズ２７を通過する際に集束方向、即ち、負の方向へ屈折して、焦点位置ｆ１に一旦集束した後に、再び拡散して第二のレンズ３０を通過する。その後、凸レンズ２８を通過する際に平行な光束Ｋになって観察者の眼Ｍに入射する。ところで、前記第一,第二のレンズ２９、３０は、鉛直方向には湾曲していないため、光束Ｋは該第一,第二のレンズ２９、３０を通過する際には、屈折しない。従って、このように、鉛直方向においては、観察者の眼Ｍに入射する光束Ｋの幅は、走査手段３に入射する光束Ｋの幅と同様である。
【００４２】
次に、図２（ロ）に基づき、水平方向について、光束Ｋの幅の変化について説明する。鉛直方向及び水平方向の径がaである平行な光束Ｋが図２（ロ）中、実線で示すように、第一走査手段２０において鉛直方向へ走査された後、凸レンズ２２,２３を経て、第二走査手段２１に入射して水平方向へ走査される。該第二走査手段２１を出射した光束Ｋは、第一のレンズ２９を通過する際に集束方向へ屈折した後、凸レンズ２７を通過する際に更に集束方向へ屈折して、焦点位置ｆ２において一旦集束する。この焦点位置ｆ２は、図２（イ）に示す焦点位置ｆ１に比較して凸レンズ２７の方向に向けて、より接近した位置に存在する。即ち、図２（ロ）に示す状態においては、図２（イ）に示す状態と比較して、焦点位置ｆ２から第二のレンズ３０までの距離はより離間しているため、焦点位置ｆ２において一旦集束した光束Ｋは、このように、より離間している距離を進行する間に、断面積が一層大きく拡大して第二のレンズ３０に入射する。そして、光束Ｋが該第二のレンズ３０を通過して凸レンズ２８に入射する際、該光束Ｋは、凸レンズ２８の焦点位置から拡散したかのように該凸レンズ２８に入射することにより、該光束Ｋは該凸レンズ２８を通過する際、平行な光束Ｋになって観察者の眼Ｍに入射するものである。
【００４３】
以上のように、水平方向において、観察者の眼Ｍに入射する光束Ｋの幅が、走査手段３に入射する光束Ｋの幅よりも拡大しているため、光束Ｋを観察者の眼Ｍに容易に位置合わせさせることができる。特に、観察者の眼Ｍの位置は鉛直方向と比較して水平方向に位置ズレを起こし易い。このため、光束Ｋの幅を水平方向において拡大させることによって、光束Ｋを容易に観察者の眼Ｍの位置に位置合わせさせることができるものである。更に、走査手段３の後段において光束Ｋの幅を拡大しているため、走査手段３は、幅が拡大した状態の光束Ｋを走査させることがない。このため、走査手段３が、幅の拡大した光束Ｋを走査できるように、該走査手段３を大型化する必要がないため、走査手段３の慣性モーメントが増加することはなく、速い走査速度でも負荷が大きくなることはない。
【００４４】
以上説明したように、観察者の眼Ｍの瞳孔に光束Ｋを位置合せした後、図１中、点線で示す範囲内において、第一走査手段２０及び第二走査手段２１において光束Ｋを走査することにより、観察者の眼Ｍの網膜に画像を表示する。そして、このように構成された第１実施形態においては、図２（ロ）に示すように、画角βは振り角αより小さくなってしまうため、光束Ｋの幅を拡大する以前の画角βを得るためには走査手段３の振り角αを大きくする必要がある。
【００４５】
図３は、第２実施形態を示す。この第２実施形態の特徴は、リレー光学系の凸レンズ２３と第二走査手段２１との間に光束断面拡大手段４を配置した点にある。該光束断面拡大手段４は、第一のレンズ４０と、第二のレンズ４１とで構成されている。該第一のレンズ４０は図3（ロ）に示す水平方向には正の屈折力を有するが、図３（イ）に示す鉛直方向には屈折力を有さないレンズである。又、第二のレンズ４１は、図3（ロ）に示す水平方向には負の屈折力を有するが、図３（イ）に示す鉛直方向には屈折力を有さないレンズである。これら第一,第二のレンズ４０,４１はシリンドリカルレンズによって構成することができる。このように、これら第一,第二のレンズ４０,４１をシリンドリカルレンズによって構成した場合、第一のレンズ４０は凹状の円柱面４０aと平面４０ｂとで構成されている。又、第二のレンズ４１は平面４１ａと凸状の円柱面４１ｂとで構成されている。そして、第一のレンズ４０は、円柱面４０ａの軸心を鉛直方向に向け、且つ、円柱面４０ａから光束Ｋが入射し、平面４０ｂから光束Ｋが出射する形態で第二のレンズ４１の前段に配置されている。又、第二のレンズ４１は、円柱面４１ｂの軸心を鉛直方向に向け、且つ、平面４１ａから光束Ｋが入射し、円柱面４１ｂから光束Ｋが出射する形態で第二走査手段２１の前段に配置されている。ここで、第一,第二のレンズ４０,４１は同一の焦点位置ｆ３を有しているものである。
【００４６】
第一,第二のレンズ４０,４１は、このように配置されることにより、図3（ロ）に示すように、水平方向には湾曲しているため、光束Ｋを水平方向には屈折させるが、図3（イ）に示すように、鉛直方向は湾曲していないため、光束Ｋを鉛直方向には屈折させないものである。
【００４７】
次に、作用について説明する。図３（イ）に示す鉛直方向においては、光束断面拡大手段４は、光束Ｋを屈折させる作用を有さないため、前記焦点位置ｆ１は実質的には凸レンズ２３の焦点位置である。従って、凸レンズ２３を通過することにより平行になった光束Ｋは、第一,第二のレンズ４０,４１をそのまま通過して第二走査手段２１に入射することになる。
【００４８】
又、図３（ロ）に示す状態においては、凸レンズ２３を通過することにより平行になった光束Ｋは、第一のレンズ４０を通過する際に焦点位置ｆ３から出射したように拡散しつつ第二のレンズ４１に入射する。そして、焦点位置ｆ３から出射したように、第二のレンズ４１に入射した光束Ｋは第二のレンズ４１を通過することにより平行な光束Ｋになって第二走査手段２１に入射するものである。
【００４９】
第二走査手段２１には、前述のように、拡大した状態の光束Ｋが入射するため、第二走査手段２１は拡大した状態の光束Ｋを水平方向に走査できるように大型化することが必要である。このため、該第二走査手段２１の慣性が大きくなって、第二走査方向への走査の動作の応答性が劣化する虞がある。しかし、第二走査手段２１は本来、その走査速度が比較的遅いという特質があるため、前述のように、大型化しても第二走査方向への走査動作により、画像表示の劣化する虞はない。この構成においては、第二走査手段２１の振り角と画角は等しいため、第二走査手段２１の振り角を大きく設定する必要はない。
【００５０】
図４は、第３実施形態を示す。この第３実施形態においては、光束断面拡大手段４は、リレー光学系を構成する凸レンズ２３の前段に、レンズ５０を配置した点にある。該レンズ５０は、図４（イ）に示すように、鉛直方向においては屈折力を有さないが、図４（ロ）に示すように、水平方向においては正の屈折力を有するレンズである。該レンズ５０は例えば、シリンドリカルレンズによって構成することができる。該レンズ５０をシリンドリカルレンズによって構成した場合、該レンズ５０は同図４（ロ）に示すように、平面５０ａと凹状の円柱面５０ｂとで囲まれた形状である。そして、該レンズ５０は円柱面５０ｂの軸心を鉛直方向に向け、且つ、平面５０ａから光束Ｋが入射し、円柱面５０ｂから光束Ｋが出射する形態で配置されている。レンズ５０はこのように配置されることにより、円柱面５０ｂが水平方向においては湾曲しているため、光束Ｋを水平方向においては屈曲させる。しかし、該円柱面５０ｂは鉛直方向には湾曲していないため、光束Ｋを鉛直方向には屈折させないものである。
【００５１】
このように構成しても、光束Ｋは、レンズ５０においてその幅が拡大した状態で凸レンズ２３に入射し、該凸レンズ２３において平行な光束Ｋになった後に、第二走査手段２１において第二走査方向へ走査されるものである。
【００５２】
以上の説明においては、第一のレンズ２９,４０、第二のレンズ３０、４１、又は、レンズ５０を構成するシリンドリカルレンズの円柱面２９ａ,３０ｂ,４０a,４１ｂ,５０ｂの軸心を鉛直方向へ向けることにより、光束Ｋの幅を水平方向へ拡大するようにしたが、シリンドリカルレンズの円柱面２９ａ,３０ｂ,４０a,４１ｂ,５０ｂの軸心を任意の方向へ向けることにより、当該方向とは直交する方向へ光束Ｋの幅を拡大することができるものである。
【図面の簡単な説明】
【００５３】
【図１】図1は、網膜走査画像表示装置のブロック図である。（第１実施形態）
【図２】図２は、光束の幅が拡大する状態を示す図である。（第１実施形態）
【図３】図３は、光束の幅が拡大する状態を示す図である。（第２実施形態）
【図４】図４は、光束の幅が拡大する状態を示す図である。（第３実施形態）
【図５】図５は、網膜走査画像表示装置のブロック図である。（従来技術）
【符号の説明】
【００５４】
１  網膜走査画像表示装置
２  光束出力部
３  走査手段
４  光束断面拡大手段
２０  第一走査手段
２１  第二走査手段
２９  第一のレンズ（シリンドリカルレンズ）
３０  第二のレンズ（シリンドリカルレンズ）
４０  第一のレンズ（シリンドリカルレンズ）
４１  第二のレンズ（シリンドリカルレンズ）
５０  レンズ（シリンドリカルレンズ）
Ｋ  光束
Ｍ  眼
Ｍ１  瞳孔
Ｍ２  網膜
【図１】
2005292191.tif 000003
【図２】
2005292191.tif 000004
【図３】
2005292191.tif 000005
【図４】
2005292191.tif 000006
【図５】
2005292191.tif 000007